(57)【要約】  使用時に、収納構成部品の孔内に挿入するためのファスナ用の一部品のレセプタクル。レセプタクルは、脚部を備える基部を具備し、脚部の少なくとも一つは使用時にレセプタクルを構成部品に固定する。基部は、使用時にファスナに係合するための孔を含み、またファスナの挿入の方向に弾性状の固定力を与える弾性構造を形成するように、少なくとも一つの脚部が成形される。使用時に、レセプタクルは、孔内に挿入され、またそこで固定され、また固定される構成部品と、レセプタクル及びファスナによってそこに取付けられる第二の構成部品との間にコンプライアンスを与える。
2007527489.tif 000002
【特許請求の範囲】
【請求項１】
収納構成部品の孔内に、使用時に挿入するためのファスナ用の一部品のレセプタクルであって、
脚部を備える基部を具備し、少なくとも一つの前記脚部が使用時に前記レセプタクルを構成部品上に固定するようにされていて、
前記基部は、使用時に前記ファスナに係合するための孔を含み、
また少なくとも一つの脚部が、前記ファスナの挿入の方向に弾性状の固定力を与える弾性構造を形成するように成形され、
それによって使用時に、前記レセプタクルは前記孔内に挿入され、またそこに固定され、また固定される前記構成部品と、前記レセプタクル及びファスナによってそこに取付けられる第二の構成部品との間にコンプライアンスを与える、
レセプタクル。
【請求項２】
前記基部の両側の二つの脚部は、前記弾性構造を形成するように成形され、その結果前記ファスナの挿入の方向に前記コンプライアンスを与える、請求項１に記載のレセプタクル。
【請求項３】
前記弾性構造を形成するように成形される前記少なくとも一つの脚部は、少なくとも一つの外部脚部と一つの内部脚部を具備する、請求項１−２のいずれか一項に記載のレセプタクル。
【請求項４】
前記少なくとも一つの外部脚部のうちの一つと前記内部スプリング状脚部との端部は、前記基部から横方向に延びている翼部を形成するために屈曲され、その結果前記レセプタクルへコンプライアンスをその挿入方向に与える、請求項３に記載のレセプタクル。
【請求項５】
前記弾性構造の状態に成形される前記少なくとも一つの脚部は、二つの外部脚部を具備する、請求項３−４のいずれか一項に記載のレセプタクル。
【請求項６】
前記二つの外部脚部の端部は連結される、請求項５に記載のレセプタクル。
【請求項７】
前記内部脚部は、前記少なくとも一つの外部脚部に対し鋭角を成して位置決めされる、請求項３−６のいずれか一項に記載のレセプタクル。
【請求項８】
前記内部脚部は、前記少なくとも一つの外部脚部に対し12−15°の角度を成して位置決めされる、請求項７に記載のレセプタクル。
【請求項９】
前記内部脚部と少なくとも一つの外部脚部のうちの一つの端部は、前記基部から延びている翼部を形成するために、自身に戻し屈曲され、その結果使用時に前記内部脚部が前記外部脚部の端部に対し鋭角を成して位置決めされて、前記レセプタクルにコンプライアンスをその挿入方向に与える、請求項４に記載のレセプタクル。
【請求項１０】
前記内部脚部は、前記二つの外部脚部の間の中央に配置される、請求項５−９のいずれか一項に記載のレセプタクル。
【請求項１１】
前記少なくとも一つの外部脚部の端部は、使用時に前記収納構成部品の上部表面に対し鋭角を成して位置決めされる、請求項４−１０のいずれか一項に記載のレセプタクル。
【請求項１２】
前記少なくとも一つの外部脚部は、使用時に前記収納構成部品の表面に対し約３０°の角度を成して位置決めされる、請求項１１に記載のレセプタクル。
【請求項１３】
金属から形成される、請求項１−１２のいずれか一項に記載のレセプタクル。
【請求項１４】
炭素鋼から形成される、請求項１３に記載のレセプタクル。
【請求項１５】
使用時に構成部品の孔内に設置される請求項１−１４のいずれか一項に記載のレセプタクルと、前記レセプタクルの前記基部の前記孔に係合されるファスナとを具備している、ファスナとレセプタクルの組合せ。
【請求項１６】
前記ファスナは、四分の一回転ファスナである、請求項１５に記載のファスナとレセプタクルの組合せ。
【請求項１７】
前記収納構成部品中に設置するより前に、パネルが前記レセプタクルに予め取付けられる、請求項１５−１６のいずれか一項に記載のファスナとレセプタクルの組合せ。
【発明の詳細な説明】
【技術分野】
【０００１】
本発明は、ファスナ用の一部品のレセプタクル（容器）を提供する。本発明のレセプタクルは、自動車騒音遮蔽もしくはエンジンカバーなどのパネルを、ファスナを用いて支持材上に取付けできる手段を与える。
【０００２】
ファスナ用のレセプタクルは、多くの分野、具体的には自動車産業において、基材上にパネルを取付ける際に使用するため周知である。
【０００３】
ファスナ用のレセプタクルを設計するとき考慮される必要がある重要な要因は、最終製品の使用の際に留め具が安定状態にあることを必要とする一方、一定の柔軟性を含むことも必要とすることである。使用時に、自動車は大きな振動環境にあり、またしたがって固定される部品になんらの損傷を生ぜずにそのような振動を許容できる留め具のニーズがある。そのような大きな振動環境を考慮して具体的に設計された、ファスナ用のレセプタクルのためのニーズがあることは明らかである。
【背景技術】
【０００４】
多くの従来技術のレセプタクルは、少なくとも二つの構成部品から成る。従来技術のファスナ用のそのようなレセプタクルを使用するとき、必要な柔軟性を与えるために、スプリングワッシャもしくはグロメットなどの追加の構成部品が含まれる必要があることがその理由である。ファスナを収納するための独自のレセプタクルの使用の根拠は、製造工程の効率を増大することと、生産ラインで手動で実施される必要がある操作に消費する多くの時間を低減することである。従来技術に必要であるような追加の構成部品の介在は、製造工程をより複雑にしまたより高価格にもする。したがって、さらなる構成部品を必要とせず、また製造工程がより単純かつより安価でもあるように、スプリング構造と一体のファスナ用のレセプタクルを与えることは有利である。
【０００５】
ファスナ用のレセプタクルを取付ける構成部品及び/又は取付けられた状態にある構成部品の厚みが均一でないとき、直面するさらなる問題が従来技術においては生ずる。これは、使用中に騒音を生ずるのみならず、留め具の安定性を欠き、また使用中に留め具が弛む可能性が増大する不良な嵌合を引き起す場合がある。
【０００６】
一つ以上の構成部品の厚みが可変であることは、さらなる問題を引き起す場合がある。一つもしくは両方の構成部品の厚みが可変である、従来技術のファスナ用のレセプタクルを使用するとき、この変動を補正し、また安全な締結が達成されることを確保するために、使用されるファスナの長さを調整することが必要である。これは、操作と貯蔵の両方の問題を引起すことにより製造工程を複雑にする。レセプタクルを挿入する構成部品及び取付けられる状態にある構成部品の厚みが可変であるかに係りなく、同一長さのファスナを使用できるファスナ用のレセプタクルのためのニーズがあることは明らかである。
【０００７】
要約すれば、互いに取付けられている構成部品の厚みが不均一であり、また使用中に損傷と騒音を回避するに十分に柔軟である場合でさえ、堅固に固定できるファスナ用の単一構成のレセプタクルのためのニーズがあることはしたがって明らかである。
【発明の開示】
【０００８】
本発明は、使用時に収納構成部品の孔に挿入するためのファスナ用の一部品のレセプタクルを与え、レセプタクルは脚部を備える基部を具備していて、脚部の少なくとも一つは使用時にレセプタクルを構成部品上に固定している。基部は使用時にファスナに係合するための孔を含み、また脚部のうちの少なくとも一つが成形され、その結果ファスナの挿入の方向にコンプライアンスを与える弾性構造を形成し、それによって使用時に、レセプタクルは孔の中に挿入され、またそこに固定され、また固定される構成部品と、レセプタクル及びファスナによってそこに取付けられる第二の構成部品との間にコンプライアンスを与える。
【０００９】
固定脚部の目的は、レセプタクルが構成部品内に設置された後に定位置に堅固にロックされることを確保することである。そのようなロックする構造は、設置後に構成部品の後方に拡張する脚部により与えられるのが好ましい。
【００１０】
加えて、本発明のレセプタクルが十分な柔軟性を有し、その結果自動車などの大きな振動環境内で使用するために適切であることを確保する弾性構造を形成するために、少なくとも一つの脚部の介在物が成形される。同様に、本発明のレセプタクルは、構成部品のかなりの範囲の厚みにわたり機能でき、また使用時にファスナ用の十分に心出しされた固定力を付与できるように配置される。
【００１１】
弾性構造が、一部品のレセプタクルの一体部分として含まれるということは、ワッシャとグロメットなど追加の構成部品を含む必要がないことを意味する。したがって、製造工程は単純化され、また価格は低減される。本発明のレセプタクルを構成部品の孔に手製の道具を用いて手動で容易に固定できるということにより、このことは実証される。
【００１２】
挿入されもしくは取付けられる構成部品の厚みが可変である状況でさえ、優れた嵌合を依然として達成するように設計される弾性構造を形成するために、少なくとも一つの脚部が成形される。この弾性構造の介在は同様に、厚みのいくらかの変化を補正するために使用されるファスナの長さを変更する必要がないことを意味する。したがって、レセプタクルが単一の部品であるならば、大きな振動環境において使用するのに適していて、また使用される構成部品の厚みの変化を許容するために自動調整する本発明は、従来技術に伴う問題を克服する。
【００１３】
弾性構造を形成するために成形されるレセプタクルの少なくとも一つの脚部は、少なくとも一つの外部スプリング状脚部と、一つの内部スプリング状脚部から成るのが好ましい。それは、挿入される構成部品の厚みの変化を許容するために位置を調整し、またそこで固定力を与える内部スプリング状脚部であると良い。
【００１４】
本発明の好適な事例において、レセプタクルの基部の両側に位置決めされる脚部の二つは、弾性構造を形成しその結果ファスナの挿入の方向に弾性力を与えるために成形される。結果として生ずる締結がより安定であるように、配置は対照であるのが望ましい。
【００１５】
さらなる事例において、弾性構造は二つの外部脚部と一つの内部スプリング状脚部を具備する。外部スプリング状脚部の少なくとも一つの端部は、基部から横方向に延びている翼部を形成するために屈曲され、その結果使用時に、挿入される構成部品の上部表面に対して、翼部が鋭角を成して位置決めされるのが好ましい。翼部は、使用時に構成部品の上部表面に対し約３０°の角度で位置決めされるのがより好ましい。そのような位置決めは、必要なコンプライアンスが達成されることを保証する。そのような事例において、外部スプリング状脚部の下部は、レセプタクルの基部に対しほぼ垂直な方向に延びるのが好ましい。
【００１６】
弾性構造の状態にあるために成形される少なくとも一つの脚部が、二つの外部脚部と、一つの内部脚部を具備する場合、外部脚部は分離されると良いあるいは外部脚部の端部は連結されると良い。
【００１７】
弾性構造の状態であるために成形される少なくとも一つの脚部が、弾性状の内部脚部を具備する場合、この内部脚部は、基部の側面に沿ういずれかの地点に位置決めされると良い。弾性構造が二つの外部脚部を具備する事例において、内部脚部は、二つの外部脚部の間の中央に配置されるのが好ましい。
【００１８】
内部脚部は、少なくとも一つの外部脚部に対し鋭角を成して位置決めされるのが好ましい。内部脚部は、少なくとも一つの外部脚部に対し12−15°の角度を成して位置決めされるのがより好ましい。内部脚部は、優れた厚みの許容値を与えている一方、構成部品上の優れた固定を確保する。
【００１９】
あるいは、外部脚部の端部が、基部から横方向に延びている翼部を形成するために、屈曲される事例において、内部脚部の端部は同様に、ファスナの挿入の方向にほぼ平行な方向に延びる外部脚部の垂直部分に対し鋭角を成して基部から延びている翼部を形成するために、自身に戻し屈曲され、その結果使用時に、内部脚部の端部は、外部脚部の端部に対し鋭角を成して位置決めされる。本事例において、使用時に脚部の端部は、レセプタクルが挿入される構成部品に取付けられる材料の下部側面に対しレセプタクルを付勢する。そのような事例において、内部脚部の下部は、レセプタクルの基部にほぼ垂直な方向に延びるのが好ましい。
【００２０】
本発明のファスナ用の一部品のレセプタクルは、金属から形成されるのが好ましい。しかしながら、レセプタクルは炭素鋼から形成されるのがより好ましい。
【００２１】
本発明のレセプタクルは、いずれかのファスナを用いて使用されると良い。基部の孔は使用時に係合されるファスナの性質に応じて変更される。ファスナは、四分の一回転ファスナであるのが好ましい。
【００２２】
本発明は同様に、構成部品の孔に設置される前述のレセプタクルと、レセプタクルの基部の孔に係合されるファスナを具備している、ファスナとレセプタクルの組合せを与える。
【００２３】
本発明は、パネルを支持材に取付けできる手段を与える。本発明の一事例において、パネルは、構成部品内に設置する前に、製造工程をより改良するためにレセプタクルに予め取付けられと良い。パネルは、自動車の騒音遮蔽もしくはエンジンカバーであるのが好ましい。パネルは２−３mmの厚さのプラスチック製であるのが好ましい。
【００２４】
本発明の二つの事例を、添付の図を参照して説明する。
【発明を実施するための最良の形態】
【００２５】
本発明の一部品のレセプタクルの第一の事例は、図１−４により図示される。正方形の基部２と二つの固定脚部３は、基部２の両側に設けられ、またパドル状に成形され、またレセプタクル１の基部２からファスナの挿入の方向と反対の方向に延びる。基部２は、使用時に四分の一回転ファスナ（図２の１３）に係合するに適している孔４を含む。基部２の残存する側面上で互いに向き合う二つの脚５が、ファスナの挿入の方向に弾性固定力を与える弾性構造を形成するためにそれぞれ成形される。それぞれのスプリング構造は、本事例において、同一であり、また二つの外部脚部６及び心出しされたスプリング状内部脚部７を具備する。基部２から横方向外向きに延びる外部脚部６の端部８は、図４に示されるようにＣ形状の翼部分を形成するために連結される。内部スプリング状脚部７は、基部２からファスナの挿入方向と反対方向に延び、また本事例において、挿入の方向とほぼ平行な方向に延びる外部脚部６の垂直部分９に対し12−15°の角度を成して位置決めされる。内部スプリング状脚部７は、端部８に加えられる力に耐える固定力を構成部品１１に与え、また耐振動性を与えるのみならず構成部品１１の厚みの変化を許容する。
【００２６】
使用時に、構成部品１１のほぼ正方形の孔１０内にレセプタクル１を挿入する際に、固定脚部３は、レセプタクル１を定位置にロックするために外向きに延びる。挿入後、心出しされたスプリング状脚部７の位置は、構成部品１１の厚みのいずれの変化も許容するよう調整し、また外部脚部６の翼部８は、構成部品１１の上部表面に対し約３０°の角度を成して位置決めされる。この位置において、外部脚部６は、ファスナの挿入の方向に弾性要素として作用し、ひいては留め具が所望される柔軟性を有することを確保する。
【００２７】
図３に図示されるように、使用時にパネル１２は、構成部品１１内に設置されるレセプタクル１の基部２の孔４に係合する四分の一回転ファスナ１３により、構成部品１１に取付けられる。外部脚部６の弾性状端部８は、十分な柔軟性を依然有する固定留め具が大きな振動環境に耐えることを可能にするように調整する。これにより発生される弾性力は同様に、必要十分に心出しされたファスナ１３を定位置に固定し、また広範な厚みのパネルに機能する配置を許容する。
【００２８】
本発明の第二の事例は、図５−８に図示される。第一の事例のように、レセプタクル１は、基部２の両側に設けられ、またパドル状に成形され、またレセプタクル１の基部２からファスナの挿入の方向と反対の方向に延びる、正方形の基部２と二つの固定脚部３を具備する。基部２はこの場合もやはり、使用時に四分の一回転ファスナ（図６の１３）に係合するに適している孔４を含む。基部の残存側面上で互いに向き合う二つのさらなる脚部５は、ファスナの挿入の際に弾性状固定力を与える弾性構造を形成するためにそれぞれ成形される。この事例において、各構造は、同一であり、また二つの外部脚部６と心出しされた内部脚部７を具備する。外部脚部６の端部８は、図８に示されるように基部から横方向に延びる。内部スプリング状脚部７の端部１４は、挿入の方向にほぼ平行な方向に延びる外部スプリング状脚部６の垂直部分９と鋭角を成して基部から延びている翼部を形成するために、自身に戻し屈曲される。このことはやはり、端部８に加えられる力に耐え、また構成部品１１の厚みの変化を許容する安定した固定力を構成部品１１に確保する。
【００２９】
使用時に、構成部品１１のほぼ正方形の孔１０内にレセプタクル１を挿入する際に、固定脚部３は、レセプタクル１を定位置にロックするために外向きに延びる。挿入後、この事例において、内部脚部の端部１４は、外部脚部の部分９に対し鋭角を成して位置決めされる。
【００３０】
第一の事例のように、使用時にパネル１２は、図７に示される場合のように構成部品１１に設置されるレセプタクル１の孔４に係合している四分の一回転ファスナにより構成部品１１に取付けられる。この事例において、内部脚部の端部１４と外部脚部の端部８の相対位置決めは、両者間の鋭角が減少され、パネル１２と構成部品１１の厚みの変化を補正するためのコンプライアンスと、振動力を吸収する力を与えるように調整する。この場合もやはり、この力は同様に、ファスナをそれが係合される位置に固定する。本事例は、改良された耐振動性が達成される構成部品１１とパネル１２の両表面に関与するので、大きな振動環境を許容するに十分な柔軟性を依然有する安定した締結を生ずる。
【図面の簡単な説明】
【００３１】
【図１】図１は、本発明のファスナ用の一部品のレセプタクルの第一の事例の側面図である。
【図２】図２は、構成部品中に設置されるレセプタクルの第一の事例の側面図である。
【図３】図３は、構成部品に設置されるレセプタクルに係合しているファスナにより、パネルを構成部品に取付けた第一の事例の側面図である。
【図４】図４は、本発明のファスナ用の一部品のレセプタクルの第一の事例の平面図である。
【図５】図５は、本発明のファスナ用の一部品のレセプタクルの第二の事例の側面図である。
【図６】図６は、構成部品中に設置されるレセプタクルの第二の事例の側面図である。
【図７】図７は、構成部品に設置されるレセプタクルに係合しているファスナにより、パネルを構成部品に取付けた第二の事例の側面図である。
【図８】図８は、本発明のファスナ用の一部品のレセプタクルの第二の事例の平面図である。
【図１】
2007527489.tif 000003
【図２】
2007527489.tif 000004
【図３】
2007527489.tif 000005
【図４】
2007527489.tif 000006
【図５】
2007527489.tif 000007
【図６】
2007527489.tif 000008
【図７】
2007527489.tif 000009
【図８】
2007527489.tif 000010
【国際調査報告】
2007527489.tif 000011
2007527489.tif 000012